(57)【要約】【課題】流動体を一方側から他方側に簡単に移送させることができる流動体移送器具とする。【解決手段】医療用又は飲食用の流動体Ｒを一方側Ａから他方側Ｂに移送する流動体移送器具１０であって、伸縮させることで、一方側Ａから流動体Ｒを他方側Ｂに送り出す流動体押出部１１と、流動体押出部１１の伸縮を操作する操作部９０と、一方側Ａに配置されて、流動体押出部１１への流動体Ｒの流入を許容すると共に流動体押出部１１からの流動体Ｒの流出を許容しない第１弁４０と、他方側Ｂに配置されて、流動体押出部１１から流動体Ｒの流出を許容すると共に流動体押出部１１への流動体Ｒの流入を許容しない第２弁５０と、を有し、操作部９０を操作して流動体押出部１１を伸長させることで第１弁４０が開いて一方側Ａから流動体Ｒを流動体押出部１１に流入させ、次いで操作部９０を操作して流動体押出部１１を収縮させることで第２弁５０が開いて流動体押出部１１から他方側Ｂに流動体Ｒを送り出すように構成された。【選択図】図１
2018134314.tif 000002
【特許請求の範囲】
【請求項１】
医療用又は飲食用の流動体を一方側から他方側に移送する流動体移送器具であって、
伸縮させることで、前記一方側から前記流動体を前記他方側に送り出す流動体押出部と、
前記流動体押出部の伸縮を操作する操作部と、
前記一方側に配置されて、前記流動体押出部への前記流動体の流入を許容すると共に前記流動体押出部からの前記流動体の流出を許容しない第１弁と、
前記他方側に配置されて、前記流動体押出部から前記流動体の流出を許容すると共に前記流動体押出部への前記流動体の流入を許容しない第２弁と、
を有し、
前記操作部を操作して前記流動体押出部を伸長させることで前記第１弁が開いて前記一方側から前記流動体を前記流動体押出部に流入させ、次いで前記操作部を操作して前記流動体押出部を収縮させることで前記第２弁が開いて前記流動体押出部から前記他方側に前記流動体を送り出すように構成されたことを特徴とする流動体移送器具。
【請求項２】
前記流動体押出部は、前記一方側に配置された第１流動体押出部と前記他方側に配置された第２流動体押出部を有しており、
前記第１弁は、前記第１流動体押出部の前記一方側に配置され、
前記第２弁と前記操作部は、前記第１流動体押出部と前記第２流動体押出部の間に配置されており、
前記操作部の操作によって前記第１流動体押出部と前記第２流動体押出部をそれぞれ伸縮させるように構成されており、
前記操作部を操作して前記第１流動体押出部を伸長させることで前記第１弁が開いて前記一方側から前記流動体を前記第１流動体押出部に流入させ、次いで前記第２流動体押出部を伸長させた状態で前記操作部を操作して前記第１流動体押出部を収縮させることで前記第２弁が開いて前記第１流動体押出部から前記第２流動体押出部に前記流動体を送り出し、次いで前記操作部を操作して前記第２流動体押出部を収縮させることで前記第２流動体押出部から前記他方側に前記流動体を送り出すように構成されたことを特徴とする請求項１に記載の流動体移送器具。
【請求項３】
前記流動体押出部は、蛇腹形状を呈していることを特徴とする請求項１に記載の流動体移送器具。
【請求項４】
前記第１流動体保持部と前記第２流動体押出部の少なくとも一方は、蛇腹形状を呈していることを特徴とする請求項２に記載の流動体移送器具。
【請求項５】
前記第１流動体押出部の前記一方側から前記第２流動体押出部の前記他方側までを固定幅に保持する固定部を有しており、
前記操作部の操作時に前記固定部で前記固定幅が保持されることで前記第１流動体押出部と前記第２流動体押出部を交互に伸縮させるように構成されており、
前記操作部を操作して前記第１流動体押出部を伸長させると共に前記第２流動体押出部を収縮させることで前記第１弁が開いて前記一方側から前記流動体を前記第１流動体押出部に流入させ、次いで前記操作部を操作して前記第１流動体押出部を収縮させると共に前記第２流動体押出部を伸長させることで前記第２弁が開いて前記第１流動体押出部から前記第２流動体押出部に前記流動体を送り出し、次いで前記操作部を操作して前記第１流動体押出部を伸長させると共に前記第２流動体押出部を収縮させることで前記第２流動体押出部から前記他方側に前記流動体を送り出すように構成されたことを特徴とする請求項２又は４に記載の流動体移送器具。
【請求項６】
前記固定部は、前記第１流動体押出部及び前記第２流動体押出部に対して着脱自在に構成されたことを特徴とする請求項５に記載の流動体移送器具。
【請求項７】
前記操作部は、前記流動体押出部と一体成形されていることを特徴とする請求項１又は３に記載の流動体移送器具。
【請求項８】
前記操作部は、前記第１流動体押出部及び／又は前記第２流動体押出部と一体成形されていることを特徴とする請求項２，４乃至６の何れかに記載の流動体移送器具。
【発明の詳細な説明】
【技術分野】
【０００１】
本発明は、医療用又は飲食用の流動体を移送する流動体移送器具に関する。
【背景技術】
【０００２】
医療用の液状経腸栄養剤又は各種流動食品、あるいはそれらを固形化、ゲル化またはゾル化した流動体は、可撓性と液密性のある流動体収容容器に収容して保管されることが多い。ここで、流動体は空気に触れると酸化して成分が変質し、薬剤としての効能が低下又は劣化したり、味が変化したり、腐敗を招いたりする恐れがある。そのため、従来、液密性を有する材料及び酸素非透過性を有する材料で形成した流動体収容部を有する流動体収容容器が知られている（例えば、特許文献１参照）。
【先行技術文献】
【特許文献】
【０００３】
【特許文献１】特開２００３−１３５５６３号公報
【発明の概要】
【発明が解決しようとする課題】
【０００４】
ここで、前記した特許文献１のような流動体収容容器から流動体を取り出して他の容器や人体等に送出、注入するときには、収容容器に管を入れ、収容容器を押して管を介して押し出すようにしていた。しかしながら、流動体が高粘度の場合等、収容容器からの取り出しが困難な場合があり、問題となっていた。
【０００５】
本発明は上記の問題に鑑みてなされたものであり、流動体を一方側から他方側に簡単に移送させることができる流動体移送器具を提供することを課題としている。
【課題を解決するための手段】
【０００６】
かかる課題を解決するために、請求項１に記載の発明は、医療用又は飲食用の流動体を一方側から他方側に移送する流動体移送器具であって、伸縮させることで、前記一方側から前記流動体を前記他方側に送り出す流動体押出部と、前記流動体押出部の伸縮を操作する操作部と、前記一方側に配置されて、前記流動体押出部への前記流動体の流入を許容すると共に前記流動体押出部からの前記流動体の流出を許容しない第１弁と、前記他方側に配置されて、前記流動体押出部から前記流動体の流出を許容すると共に前記流動体押出部への前記流動体の流入を許容しない第２弁と、を有し、前記操作部を操作して前記流動体押出部を伸長させることで前記第１弁が開いて前記一方側から前記流動体を前記流動体押出部に流入させ、次いで前記操作部を操作して前記流動体押出部を収縮させることで前記第２弁が開いて前記流動体押出部から前記他方側に前記流動体を送り出すように構成された流動体移送器具としたことを特徴とする。
【０００７】
請求項２に記載の発明は、請求項１に記載の構成に加え、前記流動体押出部は、前記一方側に配置された第１流動体押出部と前記他方側に配置された第２流動体押出部を有しており、前記第１弁は、前記第１流動体押出部の前記一方側に配置され、前記第２弁と前記操作部は、前記第１流動体押出部と前記第２流動体押出部の間に配置されており、前記操作部の操作によって前記第１流動体押出部と前記第２流動体押出部をそれぞれ伸縮させるように構成されており、前記操作部を操作して前記第１流動体押出部を伸長させることで前記第１弁が開いて前記一方側から前記流動体を前記第１流動体押出部に流入させ、次いで前記第２流動体押出部を伸長させた状態で前記操作部を操作して前記第１流動体押出部を収縮させることで前記第２弁が開いて前記第１流動体押出部から前記第２流動体押出部に前記流動体を送り出し、次いで前記操作部を操作して前記第２流動体押出部を収縮させることで前記第２流動体押出部から前記他方側に前記流動体を送り出すように構成された流動体移送器具としたことを特徴とする。
【０００８】
請求項３に記載の発明は、請求項１に記載の構成に加え、前記流動体押出部は、蛇腹形状を呈している流動体移送器具としたことを特徴とする。
【０００９】
請求項４に記載の発明は、請求項２に記載の構成に加え、前記第１流動体保持部と前記第２流動体押出部の少なくとも一方は、蛇腹形状を呈している流動体移送器具としたことを特徴とする。
【００１０】
請求項５に記載の発明は、請求項２又は４に記載の構成に加え、前記第１流動体押出部の前記一方側から前記第２流動体押出部の前記他方側までを固定幅に保持する固定部を有しており、前記操作部の操作時に前記固定部で前記固定幅が保持されることで前記第１流動体押出部と前記第２流動体押出部を交互に伸縮させるように構成されており、前記操作部を操作して前記第１流動体押出部を伸長させると共に前記第２流動体押出部を収縮させることで前記第１弁が開いて前記一方側から前記流動体を前記第１流動体押出部に流入させ、次いで前記操作部を操作して前記第１流動体押出部を収縮させると共に前記第２流動体押出部を伸長させることで前記第２弁が開いて前記第１流動体押出部から前記第２流動体押出部に前記流動体を送り出し、次いで前記操作部を操作して前記第１流動体押出部を伸長させると共に前記第２流動体押出部を収縮させることで前記第２流動体押出部から前記他方側に前記流動体を送り出すように構成された流動体移送器具としたことを特徴とする。
【００１１】
請求項６に記載の発明は、請求項５に記載の構成に加え、前記固定部は、前記第１流動体押出部及び前記第２流動体押出部に対して着脱自在に構成された流動体移送器具としたことを特徴とする。
【００１２】
請求項７に記載の発明は、請求項１又は３に記載の構成に加え、前記操作部は、前記流動体押出部と一体成形されている流動体移送器具としたことを特徴とする。
【００１３】
請求項８に記載の発明は、請求項２，４乃至６の何れかに記載の構成に加え、前記操作部は、前記第１流動体押出部及び／又は前記第２流動体押出部と一体成形されている流動体移送器具としたことを特徴とする。
【発明の効果】
【００１４】
請求項１に記載の発明によれば、操作部で流動体押出部を伸縮させるだけで、簡単に流動体を一方側から他方側に移送させることができる。
【００１５】
請求項２に記載の発明によれば、流動体押出部が第１流動体押出部と第２流動体押出部を有しており、双方の間に操作部が配置されており、操作部の操作により双方を交互に伸縮させて、流動体を一方側から他方側に移送させる構成において、操作部の他方側に第２流動体押出部があることで、流動体の他方側への送り出し動作がし易くなり、より安定して流動体の移送を行うことができる。
【００１６】
請求項３，４に記載の発明によれば、流動体押出部、第１流動体押出部、第２流動体押出部の少なくとも１つが蛇腹形状を呈しているため、安定して確実な伸縮動作を行うことができる。
【００１７】
請求項５に記載の発明によれば、第１流動体押出部と第２流動体押出部を固定幅に保持する固定部を有しており、その固定部の幅の中で第１流動体押出部と第２流動体押出部を交互に伸縮させるようになっているため、全体の幅が固定された状態で、さらに安定して伸縮動作を行うことができ、さらに安定して流動体の移送を行うことができる。
【００１８】
請求項６に記載の発明によれば、固定部が着脱自在となっているため、一方側に流動体が残っておらず、第１流動体押出部又は第２流動体押出部に流動体が残っている状態のとき等に、固定部を取り外して流動体を他方側に絞り出すことができる。その結果、確実に一方側の流動体を残すことなくほぼ全て他方側に移送させることができる。
【００１９】
請求項７，８に記載の発明によれば、操作部が流動体押出部、第１流動体押出部、第２流動体押出部の何れかと一体成形されているため、部品点数を減らして効率良く流動体移送器具を製造することができる。
【図面の簡単な説明】
【００２０】
【図１】この発明の実施の形態１に係る流動体移送器具の正面図である。
【図２】同実施の形態１に係る流動体移送器具の分解図である。
【図３】同実施の形態１に係る流動体移送器具の固定部の正面図である。
【図４】同実施の形態１に係る流動体移送器具における図１の断面図である。
【図５】同実施の形態１に係る流動体移送器具における図２の断面図である。
【図６】同実施の形態１に係る流動体移送器具の固定部の左側面図である。
【図７】同実施の形態１に係る流動体移送器具の固定部の右側面図である。
【図８】同実施の形態１に係る流動体移送器具を流動体収容容器に取り付ける前の状態を示す正面図である。
【図９】同実施の形態１に係る流動体移送器具を流動体収容容器に取り付けて第１流動体押出部を伸長させて第２流動体押出部を収縮させた状態を示す正面図である。
【図１０】同実施の形態１に係る流動体移送器具の第１流動体押出部を収縮させて第２流動体押出部を伸長させた状態を示す正面図である。
【図１１】同実施の形態１に係る流動体移送器具から固定部を取り外して第１流動体押出部と第２流動体押出部を収縮させた状態を示す正面図である。
【図１２】同実施の形態１に係る流動体移送器具の変形例の正面図である。
【図１３】同実施の形態１に係る流動体移送器具の変形例の分解図である。
【図１４】同実施の形態１に係る流動体移送器具の固定部の変形例の正面図である。
【図１５】同実施の形態１に係る流動体移送器具の変形例を流動体収容容器に取り付けて第１流動体押出部を収縮させて第２流動体押出部を伸長させた状態を示す正面図である。
【図１６】この発明の実施の形態２に係る流動体移送器具の正面図である。
【図１７】同実施の形態２に係る流動体移送器具の分解図である。
【図１８】同実施の形態２に係る流動体移送器具を流動体収容容器に取り付ける前の状態を示す正面図である。
【図１９】同実施の形態２に係る流動体移送器具を流動体収容容器に取り付けて流動体押出部を伸長させた状態を示す正面図である。
【図２０】同実施の形態２に係る流動体移送器具の流動体押出部を収縮させた状態を示す正面図である。
【図２１】同実施の形態２に係る流動体移送器具の変形例の正面図である。
【図２２】同実施の形態２に係る流動体移送器具の変形例の分解図である。
【発明を実施するための形態】
【００２１】
以下、この発明の実施の形態について、図面を参照して詳細に説明する。
［発明の実施の形態１］
図１〜図１１には、この発明の実施の形態を示す。
【００２２】
この実施の形態の流動体移送器具１０は、例えばレトルト処理を行った医療用又は飲食用の流動体Ｒを収容する流動体収容容器１００に取り付けて流動体Ｒを取り出して他の容器（図示省略）や人体（図示省略）に移送するための器具である。具体的には、この医療用又は飲食用の流動体Ｒは、液状経腸栄養剤や各種流動食品、あるいはそれらを固形化、ゲル化またはゾル化したものが考えられる。ただし、流動体Ｒはそれ以外のどのようなものであってもよい。また、流動体収容容器１００についても、適宜の容器であればよい。
【００２３】
また、図１，２，４，５に示すように、流動体移送器具１０は、流動体押出部１１と第１弁４０と第２弁５０と操作部９０と注入部６０と注出部７０を有しており、これらが組み付けられて一体となって構成されている。また、この実施の形態の流動体移送器具１０は、図３，６，７に示すような、固定部８０を有しており、図８に示すように取り付けられるようになっている。以下、詳述する。
【００２４】
注入部６０は、一方側Ａに配置された流動体収容容器１００に取り付けて固定すると共に、流動体Ｒを他方側Ｂである流動体押出部２０側に流入可能にするものである。この注入部６０は、一方側Ａに、流動体収容容器１００の流動体取出口１０１に突き刺して孔を開ける筒状で先端が斜めに切り欠かれた突刺部６１を有している。また、同じく注入部６０の一方側Ａの突刺部６１の周囲には、所定の空間を開けた外側に第１内ネジ部６２が設けられている。そして、突刺部６１を流動体収容容器１００に突き刺した状態で、流動体収容容器１００の流動体取出口１０１の周囲に設けられた収容容器外ネジ部１０２に第１内ネジ部６２を螺合させることで、流動体収容容器１００に注入部６０を取り付けるようになっている。また、注入部６０の他方側Ｂには、後述する第１流動体押出部２０に取り付けるための第２内ネジ部６５を備えている。
【００２５】
この実施の形態の流動体押出部１１は、第１流動体押出部２０と第２流動体押出部３０の２つの部位を有している。これら第１，第２流動体押出部２０，３０は、それぞれ中空で蛇腹形状を呈しており、一方側Ａと他方側Ｂに対して伸縮自在となっている。そして、伸長させることで流動体Ｒを流入させて保持するようになっており、収縮させることで保持している流動体Ｒを流出させるようになっている。
【００２６】
具体的には、第１流動体押出部２０は、図２，４，５に示すように、中空で流動体Ｒを保持する第１蛇腹部２１と、その一方側Ａの端部に設けられた第１外ネジ部２２と、第１蛇腹部２１の他方側Ｂの端部に設けられた第３内ネジ部２３とを有している。そして、第１外ネジ部２２が、注入部６０の第２内ネジ部６５と螺合するようになっており、第３内ネジ部２３が、後述する第２流動体押出部３０の第２外ネジ部３２と螺合するようになっている。また、第１蛇腹部２１と第３内ネジ部２３との境界部には、仕切板２４が設けられている。この仕切板２４の中央部には、細径の孔部２５が設けられている。
【００２７】
また、第２流動体押出部３０は、図２，４，５に示すように、第１流動体押出部２０と同様の中空で流動体Ｒを保持する第２蛇腹部３１と、その一方側Ａの端部に設けられた第２外ネジ部３２を有している。また、第２蛇腹部３１の他方側Ｂの端部には、流動体押出部１１から押し出された流動体Ｒを他方側Ｂの容器や人体等に導く注出部７０が設けられている。この実施の形態の注出部７０は、胃ろう用に人体に設けられた孔部（図示省略）に入れるように先細形状に形成されている。さらに、この実施の形態の注出部７０は第２流動体押出部３０と一体成形によって形成されている。そして、第２外ネジ部３２が、前記した第１流動体押出部２０の第３内ネジ部２３と螺合するようになっている。
【００２８】
また、流動体押出部１１の一方側Ａ、この実施の形態では第１流動体押出部２０の一方側Ａで注入部６０との間には、第１弁４０が配置されている。この第１弁４０は、第１周縁部４２の中央部分に舌状の第１弁体４１が設けられている。そして、図４に示すように、第１周縁部４２が第１流動体押出部２０の一方側Ａの第１外ネジ部２２の先端２６と注入部６０の筒状部６３の他方側Ｂの先端の周縁６４で挟持されることで、当該位置に保持されている。また、第１弁体４１については、一方側Ａから注入部６０における第１弁体４１より細径の筒状部６３の他方側Ｂの先端の周縁６４が抑えるようになっている。これにより、第１弁４０は、図４の実線の第１弁体４１に示すように一方側Ａには開かず、図４の二点鎖線の第１弁体４１に示すように他方側Ｂには開く逆止弁となっている。
【００２９】
また、第１弁４０より他方側Ｂ、この実施の形態では第１流動体押出部２０の他方側Ｂで第２流動体押出部３０との間には、第２弁５０が配置されている。この第２弁５０は、第１弁４０と同様に、第２周縁部５２の中央部分に舌状の第２弁体５１が設けられている。そして、第２周縁部５２が第２流動体押出部３０の一方側Ａの第２外ネジ部３２の先端３３と第１流動体押出部２０の第１蛇腹部２１の他方側Ｂに設けられた孔部２５を有する仕切板２４で挟持されることで、当該位置に保持されている。また、第２弁体５１については、一方側Ａから第２流動体押出部３０における第２弁体５１より細径の孔部２５を有する仕切板２４が抑えるようになっている。これにより、第２弁５０は、図４の実線の第２弁体５１に示すように一方側Ａには開かず、図４の二点鎖線の第２弁体５１に示すように他方側Ｂには開く逆止弁となっている。
【００３０】
また、操作部９０は、流動体押出部１１の伸縮を操作するものであり、この実施の形態では、第１流動体押出部２０と第２流動体押出部３０の間に配置されている。そして、一方側Ａと他方側Ｂとに交互に動かすことで、第１流動体押出部２０と第２流動体押出部３０を交互に伸縮させるようになっている。また、この実施の形態では、１本のレバー状（棒状）に形成されており、作業者がつまんで動かしやすく形成されている。
【００３１】
また、この実施の形態では、操作部９０は第１流動体押出部２０と一体成形されており、図２のように配置されている操作部９０を折り畳んで中央に孔９２が空けられている細板状部分９１を第１流動体押出部２０と第２流動体押出部３０の間に通して所定の向きに保持するようになっている。なお、操作部９０は、図示したような１本のレバー状に限るものではなく、２本のレバー状の部材が対称方向に延びるように配置されていて、これを操作するようになっていても良い。さらに、例えば円環形状等の他の形状に形成されていても良い。
【００３２】
また、固定部８０は、図３，６，７に示すような、所定形状の枠部材であり、図８に示すように、第１流動体押出部２０の一方側Ａと第２流動体押出部３０の他方側Ｂを内側に配置させるように、流動体押出部１１に被せる。具体的には、図３，６，７に示すように、固定部８０は、円弧形状で一部隙間が空いた第１リング部８１と第２リング部８２と第３リング部８３が略直線状に配置されてそれぞれが１つの部材に繋がれている。そして、図８に示すように、第１リング部８１を、第２流動体押出部３０の第２蛇腹部３１の他方側Ｂの端部の外側に位置するように被せ、第２リング部８２を、第１流動体押出部２０の第１蛇腹部２１の一方側Ａの端部の外側に位置するように被せ、第３リング部８３を注入部６０の大径部の一方側Ａの端部の内側に位置するように被せる。これにより、第１流動体押出部２０と第２流動体押出部３０の合計幅を一定幅Ｌにすることができる。その結果、操作部９０を持って、第１流動体押出部２０を伸長させる方向である他方側Ｂに操作部９０を動かすと、必然的に固定部８０に抑えられた第２流動体押出部３０が収縮し、逆に、操作部９０を持って、第１流動体押出部２０を収縮させる方向である一方側Ａに操作部９０を動かすと、必然的に固定部８０に抑えられた第２流動体押出部３０が伸長するようになっている。なお、固定部８０は流動体押出部１１に対して着脱自在に構成されている。
【００３３】
次に、この実施の形態の流動体移送器具１０の使用手順について、図８〜１１を用いて説明する。
【００３４】
まず、図８に示すように、流動体収容容器１００の流動体取出口１０１に向けて、流動体移送器具１０の注入部６０を対向させ、図９に示すように、注入部６０で流動体取出口１０１を突き破り、螺合させて保持、固定する。その後、一旦図１０に示すように操作部９０を一方側Ａに移動させた後に、図９に示すように、操作部９０を他方側Ｂに移動させると、第１流動体押出部２０が伸長し、第２流動体押出部３０が収縮する。すると、第２弁５０は開かず、負圧で第１弁４０のみが開くため、流動体収容容器１００内の流動体Ｒが第１弁４０を介して第１流動体押出部２０内部に充填される。
【００３５】
次に、図１０に示すように、操作部９０を一方側Ａに移動させると、第１流動体押出部２０が収縮し、第２流動体押出部３０が伸長する。すると、第１弁４０は開かず、第２弁５０が流動体Ｒの圧力で開き、その結果、流動体Ｒが第１流動体押出部２０から第２流動体押出部３０に移る。
【００３６】
その後、図９に示すように、操作部９０を他方側Ｂに移動させると、第１流動体押出部２０が伸長し、第２流動体押出部３０が収縮する。すると、第２弁５０は開かないため、第２流動体押出部３０内の流動体Ｒは注出部７０を通って他方側Ｂに送り出される。また、このとき、同時に第１流動体押出部２０内に負圧が生じて流動体収容容器１００から流動体Ｒが送り出されてくる。
【００３７】
これを繰り返すことで、操作部９０を一方側Ａと他方側Ｂに交互に移動させるだけで流動体収容容器１００内の流動体Ｒを効率良く簡単に安定して他方側Ｂに移送することができる。
【００３８】
そして、流動体収容容器１００内に流動体Ｒがほぼなくなったときには、流動体移送器具１０から固定部８０を取り外した上で、第１流動体押出部２０と第２流動体押出部３０を同時に収縮させる。これにより、第１流動体押出部２０と第２流動体押出部３０内に残っている流動体Ｒを絞り出すことができる。その結果、残っている流動体Ｒを余すことなく移送することができる。
【００３９】
以上のように、この実施の形態１に記載の発明によれば、操作部９０で流動体押出部１１を伸縮させるだけで、簡単に流動体Ｒを一方側Ａから他方側Ｂに移送させることができる。しかも、負圧を生じさせて流動体収容容器１００から吸い出すように流動体Ｒを取り出すため、一方側Ａの流動体Ｒを残すことなくほぼ全て他方側Ｂに移送させることができる。
【００４０】
また、この実施の形態１に記載の発明によれば、流動体押出部１１が第１流動体押出部２０と第２流動体押出部３０を有しており、双方の間に操作部９０が配置されており、操作部９０の操作により双方を交互に伸縮させて、流動体Ｒを一方側Ａから他方側Ｂに移送させる構成において、操作部９０の他方側Ｂに第２流動体押出部３０があることで、流動体Ｒの他方側Ｂへの送り出し動作がし易くなり、より安定して流動体Ｒの移送を行うことができる。
【００４１】
また、この実施の形態１に記載の発明によれば、第１流動体押出部２０と第２流動体押出部３０が蛇腹形状を呈しているため、安定して確実な伸縮動作を行うことができる。
【００４２】
また、この実施の形態１に記載の発明によれば、第１流動体押出部２０と第２流動体押出部３０を固定幅に保持する固定部８０を有しており、その固定部８０の幅の中で第１流動体押出部２０と第２流動体押出部３０を交互に伸縮させるようになっているため、全体の幅が固定された状態で、さらに安定して伸縮動作を行うことができ、さらに安定して流動体Ｒの移送を行うことができる。
【００４３】
また、この実施の形態１に記載の発明によれば、固定部８０が着脱自在となっているため、一方側Ａに流動体Ｒが残っておらず、第１流動体押出部２０又は第２流動体押出部３０に流動体Ｒが残っている状態のとき等に、固定部８０を取り外して流動体Ｒを他方側Ｂに絞り出すことができる。その結果、確実に一方側Ａの流動体Ｒを残すことなくほぼ全て他方側Ｂに移送させることができる。
【００４４】
また、この実施の形態１に記載の発明によれば、操作部９０が第１流動体押出部２０と一体成形されているため、部品点数を減らして効率良く流動体移送器具１０を製造することができる。
［発明の実施の形態１の変形例］
次に、前記した実施の形態１の変形例について、図１２〜１５を用いて説明する。この変形例の流動体移送器具１１０は、図１２，１３に示すように、第１流動体押出部１２０の第１蛇腹部２１の一方側ＡにＬ字状に曲がった管状部１２７が設けられ、その先に第１外ネジ部１２２が設けられており、前記した実施の形態１とは異なる角度で繋ぐときに使われるものである。また、この変形例の固定部１８０は、前記した実施の形態１と形状が異なっており、図１５に示すように、第１流動体押出部１２０の一方側Ａと第２流動体押出部３０の他方側Ｂを内側に配置させるように、流動体押出部１１に被せる。具体的には、図１４，１５に示すように、固定部１８０は、円弧形状で一部隙間が空いた第１リング部１８１と第２リング部１８２が略直線状に配置されてそれぞれが１つの部材に繋がれている。
【００４５】
そして、図１５に示すように、第１リング部１８１を、第２流動体押出部３０の第２蛇腹部３１の他方側Ｂの端部の外側に位置するように被せ、第２リング部１８２を、第１流動体押出部１２０の第１蛇腹部２１の一方側Ａの端部の外側に位置するように被せる。これにより、第１流動体押出部１２０と第２流動体押出部３０の合計幅を一定幅Ｌにすることができる。その結果、操作部９０を持って、第１流動体押出部１２０を伸長させる方向である他方側Ｂに操作部９０を動かすと、必然的に固定部１８０に抑えられた第２流動体押出部３０が収縮し、逆に、操作部９０を持って、第１流動体押出部１２０を収縮させる方向である一方側Ａに操作部９０を動かすと、必然的に固定部１８０に抑えられた第２流動体押出部３０が伸長するようになっている。なお、固定部１８０は、前記した実施の形態１と同様に、流動体押出部１１に対して着脱自在に構成されている。その他の構成は同様であり、同じ符号を付して説明を省略する。
［発明の実施の形態２］
図１６〜図２０には、この発明の実施の形態２を示す。なお、この発明の実施の形態は、以下に説明する事項以外については前記した実施の形態１と同様であるので、前記した実施の形態１と異なる事項以外は同じ符号を付して説明を省略する。
【００４６】
この実施の形態の流動体移送器具２１０は、前記した実施の形態１と同様に流動体Ｒを収容する流動体収容容器１００に取り付けて流動体Ｒを取り出して他の容器（図示省略）や人体（図示省略）に移送するための器具である。
【００４７】
また、図１６，１７に示すように、流動体移送器具２１０は、流動体押出部２２０と第１弁２４０と第２弁２５０と操作部２９０と注入部２６０と注出部２７０を有しており、これらが組み付けられて一体となって構成されている。また、この実施の形態の流動体移送器具２１０は、前記した実施の形態１のような固定部８０を有していない構成となっている。以下、詳述する。
【００４８】
注入部２６０は、一方側Ａに配置された流動体収容容器１００に取り付けて固定すると共に、流動体Ｒを他方側Ｂである流動体押出部２２０側に流入可能にするものである。注入部２６０の構成は、前記した実施の形態１と同様であるため、説明を省略する。
【００４９】
この実施の形態の流動体押出部２２０は、１つの部位で構成されている。この流動体押出部２２０は、中空で蛇腹形状を呈しており、一方側Ａと他方側Ｂに対して伸縮自在となっている。そして、伸長させることで流動体Ｒを流入させて保持するようになっており、収縮させることで保持している流動体Ｒを流出させるようになっている。
【００５０】
具体的には、流動体押出部２２０は、図１７に示すように、中空で流動体Ｒを保持する蛇腹部２２１と、その一方側Ａの端部に設けられた第１外ネジ部２２２と、蛇腹部２２１の他方側Ｂの端部に設けられた第３内ネジ部（図示省略、実施の形態１の図５の第３内ネジ部２３と同様）とを有している。そして、第１外ネジ部２２２が、注入部２６０の第２内ネジ部６５と螺合するようになっており、第３内ネジ部が、後述する注出部２７０の第２外ネジ部２７２と螺合するようになっている。また、蛇腹部２２１と第３内ネジ部との境界部には、前記した実施の形態１と同様に、中央部に細径の孔部を有する仕切板（図示省略）が設けられている。
【００５１】
また、注出部２７０は、流動体押出部２２０から押し出された流動体Ｒを他方側Ｂの容器や人体等に導くものである。この実施の形態では、胃ろう用に人体に設けられた孔部（図示省略）に入れるように先細形状に形成された本体部２７１と、その一方側Ａの端部に設けられた第２外ネジ部２７２とを有している。また、この実施の形態の注出部２７０は他の部材とは独立して形成されており、第２外ネジ部２７２が、前記した流動体押出部２２０の第３内ネジ部と螺合するようになっている。
【００５２】
また、流動体押出部２２０の一方側Ａ、この実施の形態では流動体押出部２２０の一方側Ａで注入部２６０との間には、第１弁２４０が配置されている。この第１弁２４０の構成は、前記した実施の形態１と同様の逆止弁であるため、説明を省略する。
【００５３】
また、第１弁２４０より他方側Ｂ、この実施の形態では流動体押出部２２０の他方側Ｂで注出部２７０との間には、第２弁２５０が配置されている。この第２弁２５０の構成は、前記した実施の形態１と同様の逆止弁である。そして、第２弁２５０の第２周縁部２５２が注出部２７０の一方側Ａの第２外ネジ部２７２の先端２７３と流動体押出部２２０の蛇腹部２２１の他方側Ｂに設けられた孔部を有する仕切板で挟持されることで、当該位置に保持されている。この第２弁２５０の他の構成は、前記した実施の形態１と同様であるため、説明を省略する。
【００５４】
また、操作部２９０は、流動体押出部２２０の伸縮を操作するものであり、この実施の形態では、流動体押出部２２０と注出部２７０の間に配置されている。そして、一方側Ａと他方側Ｂとに交互に動かすことで、流動体押出部２２０を伸長と収縮の交互に作動させるようになっている。また、この実施の形態では、１本のレバー状（棒状）に形成されており、作業者がつまんで動かしやすく形成されている。
【００５５】
また、この実施の形態では、操作部２９０は流動体押出部２２０と一体成形されており、図１７のように配置されている操作部２９０を折り畳んで中央に孔２９２が空けられている細板状部分２９１を流動体押出部２２０と注出部２７０の間に通して所定の向きに保持するようになっている。なお、操作部２９０は、図示したような１本のレバー状に限るものではなく、２本のレバー状の部材が対称方向に延びるように配置されていて、これを操作するようになっていても良い。さらに、例えば円環形状等の他の形状に形成されていても良い。
【００５６】
次に、この実施の形態の流動体移送器具２１０の使用手順について、図１８〜２０を用いて説明する。
【００５７】
まず、図１８に示すように、流動体収容容器１００の流動体取出口１０１に向けて、流動体移送器具２１０の注入部２６０を対向させ、図１９に示すように、注入部２６０で流動体取出口１０１を突き破り、螺合させて保持、固定する。その後、一旦図２０に示すように操作部２９０を一方側Ａに移動させた後に、図１９に示すように、操作部２９０を他方側Ｂに移動させると、流動体押出部２２０が伸長する。すると、第２弁２５０は開かず、負圧で第１弁２４０のみが開くため、流動体収容容器１００内の流動体Ｒが第１弁２４０を介して流動体押出部２２０内部に充填される。
【００５８】
次に、図２０に示すように、操作部２９０を一方側Ａに移動させると、流動体押出部２２０が収縮する。すると、第１弁２４０は開かず、第２弁２５０が流動体Ｒの圧力で開き、その結果、流動体Ｒが流動体押出部２２０から注出部２７０を介して他方側Ｂに送り出される。
【００５９】
このように、操作部２９０を一方側Ａと他方側Ｂに交互に移動させるだけで、流動体押出部２２０の伸長（図１９参照）と収縮（図２０参照）を繰り返すことができ、その結果、流動体収容容器１００内の流動体Ｒを効率良く簡単に安定して他方側Ｂに移送することができる。しかも、負圧を生じさせて流動体収容容器１００から吸い出すように流動体Ｒを取り出すため、一方側Ａの流動体Ｒを残すことなくほぼ全て他方側Ｂに移送させることができる。
【００６０】
以上のように、この実施の形態２に記載の発明によれば、操作部２９０で流動体押出部２２０を伸縮させるだけで、簡単に流動体Ｒを一方側Ａから他方側Ｂに移送させることができる。しかも、負圧を生じさせて流動体収容容器１００から吸い出すように流動体Ｒを取り出すため、一方側Ａの流動体Ｒを残すことなくほぼ全て他方側Ｂに移送させることができる。
【００６１】
また、この実施の形態２に記載の発明によれば、流動体押出部２２０が蛇腹形状を呈しているため、安定して確実な伸縮動作を行うことができる。
【００６２】
また、この実施の形態２に記載の発明によれば、操作部２９０が流動体押出部２２０と一体成形されているため、部品点数を減らして効率良く流動体移送器具２１０を製造することができる。
［発明の実施の形態２の変形例］
次に、前記した実施の形態２の変形例について、図２１〜２２を用いて説明する。この変形例の流動体移送器具３１０は、図２１，２２に示すように、流動体押出部３２０の蛇腹部２２１の一方側ＡにＬ字状に曲がった管状部３２７が設けられており、前記した実施の形態２とは異なる角度で繋ぐときに使われるものである。その他の構成は同様であり、同じ符号を付して説明を省略する。
【００６３】
なお、以上説明した実施の形態は、本発明の理解を容易にするために記載されたものであって、本発明を限定するために記載されたものではない。
【００６４】
例えば、前記した各実施の形態では、流動体収容容器１００から流動体Ｒを取り出して他の容器や人体等に移送するようになっていたが、これに限るものではなく、容器から他に移送するだけでなく、一方側から他方側に移送するものであれば、その対象はどのような形態であっても良い。
【００６５】
また、前記した各実施の形態では、流動体押出部は蛇腹形状を呈していたが、これに限るものではなく、操作部の操作によって伸縮して流動体を一方側から他方側に移送する構造のものであれば、適宜の形状となっていれば良い。
【００６６】
また、流動体移送器具の各構成要素の材質や大きさ、形状等は、機能を発揮できるものであれば適宜で良い。
【符号の説明】
【００６７】
１０，１１０，２１０，３１０  流動体移送器具
１１，２２０  流動体押出部
２０，１２０  第１流動体押出部
２１  第１蛇腹部
２２，１２２  第１外ネジ部
２３  第３内ネジ部
２４  仕切板
２５  孔部
３０  第２流動体押出部
３１  第２蛇腹部
３２，２７２  第２外ネジ部
４０，２４０  第１弁
４１  第１弁体
４２  第１周縁部
５０，２５０  第２弁
５１  第２弁体
５２，２５２  第２周縁部
６０，２６０  注入部
６１  突刺部
６２  第１内ネジ部
６３  筒状部
６４  周縁
６５  第２内ネジ部
７０，２７０  注出部
８０，１８０  固定部
８１，１８１  第１リング部
８２，１８２  第２リング部
８３  第３リング部
９０，２９０  操作部
９１，２９１  細板状部分
９２，２９２  孔
１００  流動体収容容器
１０１  流動体取出口
１０２  収容容器外ネジ部
２２１  蛇腹部
Ａ  一方側
Ｂ  他方側
Ｒ  流動体
【図１】
2018134314.tif 000003
【図２】
2018134314.tif 000004
【図３】
2018134314.tif 000005
【図４】
2018134314.tif 000006
【図５】
2018134314.tif 000007
【図６】
2018134314.tif 000008
【図７】
2018134314.tif 000009
【図８】
2018134314.tif 000010
【図９】
2018134314.tif 000011
【図１０】
2018134314.tif 000012
【図１１】
2018134314.tif 000013
【図１２】
2018134314.tif 000014
【図１３】
2018134314.tif 000015
【図１４】
2018134314.tif 000016
【図１５】
2018134314.tif 000017
【図１６】
2018134314.tif 000018
【図１７】
2018134314.tif 000019
【図１８】
2018134314.tif 000020
【図１９】
2018134314.tif 000021
【図２０】
2018134314.tif 000022
【図２１】
2018134314.tif 000023
【図２２】
2018134314.tif 000024